(57)【特許請求の範囲】
【請求項１】
コインを受けるための底面が平面とされたベースと、このベースに回転自在に配置された回転ディスクと、この回転ディスクの円周方向に配設され、該回転ディスクを厚さ方向に貫通する複数の開口と、前記回転ディスクに設けられ、回転ディスクと共に回転することにより前記ベース上のコインを回転ディスクの中心から離れる方向に送り出す、前記開口と同数のひれと、回転ディスクを回転させるためのアクチュエータと、前記ベースに形成されたコイン送出し開口部と、このコイン送出し開口部に配置されたガイドローラと、このガイドローラと離間して前記開口部近傍に配置された検出ローラと、を有してなり、前記検出ローラは前記回転ディスクの中心から離間する方向にばねにより付勢されると共に、前記ひれにより送られるコインによって、前記ばねの付勢力に抗して移動され、押し拡げられたガイドローラと検出ローラの間から前記コイン送出し開口部を通って前記コインを投出するコイン投出装置において、
前記検出ローラを、検出レバー軸を中心として、その自由端側が前記回転ディスクの中心に対して接近、離間するように前記底面と平行な面内で揺動自在とされた検出レバーに支持すると共に、前記検出レバー軸を、検出レバーと平行な面内で揺動可能、且つ、検出ベースばねにより前記検出ローラと反対方向に付勢された検出ベースに取付け、前記検出ローラがコインにより回転ディスク中心から離間する方向に押されたとき、前記検出ベースが、前記検出ベースばねに抗して、検出レバーと一体的に揺動されるようにしたことを特徴とするコイン投出装置。
【請求項２】
請求項１において、前記ガイドローラを、該検出ベースが前記検出ベースばねに抗して揺動されるとき、前記検出ローラに接近する方向に変位するように、前記検出ベースに支持したことを特徴とするコイン投出装置。
【請求項３】
請求項１又は２において、前記検出ローラを付勢するばねは、前記検出レバーと前記検出ベースの揺動中心となる検出ベース回転軸との間に装架され、検出レバーを介して検出ローラを付勢する検出レバーばねであることを特徴とするコイン投出装置。
【請求項４】
請求項１、２又は３において、前記検出ローラとガイドローラとの間を通って投出されるコインを計数するためのセンサを、前記コイン投出時における回転ディスク中心方向への限界まで前記検出レバーが揺動されたとき、該検出レバーによりカウントアップされる位置で、前記検出ベースに設けたことを特徴とするコイン投出装置。
【発明の詳細な説明】
【０００１】
【発明の属する技術分野】
この発明は、遊戯機、両替機等に用いられるコイン投出装置に関する。
【０００２】
【従来の技術】
従来のこの種のコイン投出装置としては、例えば特開平９−３１９９０８号公報に開示されるコイン払出し装置、あるいは特公平４−６８６７３号公報に開示されるホッパ型コイン払出し装置等がある。
【０００３】
これらは、コインを受けるための底面が平面とされた円形凹部からなるベースと、このベースの円形凹部に回転自在に配置された回転ディスクと、この回転ディスクの円周方向に配設され、該回転ディスクを厚さ方向に貫通する複数の開口と、前記回転ディスクと一体的に設けられ、回転ディスクと共に回転することにより前記円形凹部底面上のコインを回転ディスクの中心から離れる方向に送り出す、前記開口と同数のひれと、回転ディスクを回転させるためのアクチュエータと、前記円形凹部の周壁の一部を切欠いて形成されたコイン送出し開口部と、このコイン送出し開口部における前記回転ディスクの回転方向上流側端位置に配置されたガイドローラと、このガイドローラよりも回転方向下流側に配置された検出ローラと、を有してなり、前記検出ローラは前記回転ディスクの中心から離間する方向にばねにより付勢されると共に、前記ひれにより送られるコインによって、前記ばねの付勢力に抗して前記回転ディスク中心方向に移動され、コインによって押し拡げられたガイドローラと検出ローラの間を通って前記コインを投出するコイン投出装置であり、前記回転ディスク上方に配置されたコインホッパに蓄えられたコインを、回転ディスクの回転により所定個数、前記ばねにより付勢して勢い良く投出するようにしている。
【０００４】
又、前記特開平９−３１９９０８号公報に開示されたコイン払出し装置においては、前記検出ローラを揺動自在に支持するレバーが、コイン投出時に大きく揺動したとき、該レバー先端によって横切られる位置に光センサを取り付け、これによって投出コイン数を計数するようにされている。
【０００５】
【発明が解決しようとする課題】
前記特開平９−３１９９０８号公報に開示されたコイン払出し装置においては、投出コイン数を計数するのに際して、３個の回転ローラが必要であり、構造が複雑であると共に、製造コストが高くなるという問題点があり、更に、投出コイン数を計数するに際して、センサがオープン状態になるため、外部から遮蔽板を入れてこれを覆うことが可能であり、このため、故意に遮蔽板を装入すると、センサのカウントアップが阻止され、コインを余分に払い出してしまったり、コインが回転ローラを押し拡げる方向と逆に押した場合、コインがロックしてしまうという問題点があった。
【０００６】
又、前記特公平４−６８６７３号公報に開示されたコイン払出し装置は、カウント用ローラとセパレートローラの両方により投出コイン数を計数する構成であるために、部品点数が多くなってしまうという問題点があった。
【０００７】
更に、上記コイン払出し装置において、コイン投出時にコインがカウント用ローラを押し広げてセンサがカウントアップした後に、該コインが回転ディスク方向に戻ってしまうことがあり、この場合は、所定数のコインが投出されないという問題点を生じる。
【０００８】
この発明は、上記従来の問題点に鑑みてなされたものであって、少ない部品点数で、コインのロックを生じることなく、投出コイン数を確実に計数して、コインを余分に投出したり、又投出コイン数の不足が生じることがないようにしたコイン投出装置を提供することを目的とする。
【０００９】
【課題を解決するための手段】
この発明は、請求項１記載のように、コインを受けるための底面が平面とされたベースと、このベースに回転自在に配置された回転ディスクと、この回転ディスクの円周方向に配設され、該回転ディスクを厚さ方向に貫通する複数の開口と、前記回転ディスクに設けられ、回転ディスクと共に回転することにより前記ベース上のコインを回転ディスクの中心から離れる方向に送り出す、前記開口と同数のひれと、回転ディスクを回転させるためのアクチュエータと、前記ベースに形成されたコイン送出し開口部と、このコイン送出し開口部に配置されたガイドローラと、このガイドローラと離間して前記開口部近傍に配置された検出ローラと、を有してなり、前記検出ローラは前記回転ディスクの中心から離間する方向にばねにより付勢されると共に、前記ひれにより送られるコインによって、前記ばねの付勢力に抗して移動され、押し拡げられたガイドローラと検出ローラの間から前記コイン送出し開口部を通って前記コインを投出するコイン投出装置において、前記検出ローラを、検出レバー軸を中心として、その自由端側が前記回転ディスクの中心に対して接近、離間するように前記底面と平行な面内で揺動自在とされた検出レバーに支持すると共に、前記検出レバー軸を、検出レバーと平行な面内で揺動可能、且つ、検出ベースばねにより前記検出ローラと反対方向に付勢された検出ベースに取付け、前記検出ローラがコインにより回転ディスク中心から離間する方向に押されたとき、前記検出ベースが、前記検出ベースばねに抗して、検出レバーと一体的に揺動されるようにしたことを特徴とするコイン投出装置により、上記目的を達成するものである。
【００１０】
又、前記ガイドローラを、該検出ベースが前記検出ベースばねに抗して揺動されるとき、前記検出ローラに接近する方向に変位するように前記検出ベースに支持するようにしてもよい。
【００１１】
更に、前記検出ローラを付勢するばねは、前記検出レバーと前記検出ベースの揺動中心となる検出ベース回転軸との間に装架され、検出レバーを介して検出ローラを付勢する検出レバーばねであるとしてもよい。
【００１２】
更に又、前記検出ローラとガイドローラとの間を通って投出されるコインを計数するためのセンサを、前記コイン投出時における回転ディスク中心方向への限界まで前記検出レバーが揺動されたとき、該検出レバーによりカウントアップされる位置で、前記検出ベースに設けるようにしてもよい。
【００１３】
この発明においては、コインが非投出方向に移動しつつ検出ローラを押したときに、該検出ローラがコイン投出用の隙間を開く方向に揺動することなく、検出ベースと共に揺動され、コインのロック及び誤投出を防止している。
【００１４】
【発明の実施の形態】
以下本発明の実施の形態の例を図面を参照して説明する。
【００１５】
この実施の形態の例に係るコイン投出装置１０は、図１に示されるように、ベース１２と、このベース１２の円形凹部１２Ａ内において、この円形凹部１２Ａ中心位置で、モータ２６のモータ軸２６Ａにより、円形凹部１２Ａの底面１３に沿って回転駆動されるサブディスク１４と、このサブディスク１４の上側にこれと一体的に設けられた回転ディスク１６と、この回転ディスク１６の上方に配置されたコインホッパ１８と、前記ベース１２において、前記円形凹部１２Ａから連続的に溝状に形成されているコイン送出し開口２０位置に設けられたコイン投出制御機構２２とを備えて構成されている。
【００１６】
前記回転ディスク１６には、その円周方向に複数の開口１６Ａが形成され、コインホッパ１８から落下してくるコイン２４を前記円形凹部１２Ａの底面１３と平行状態にして該底面１３上に落とし込むようにされている。なお、円形凹部１２Ａに代えてベース１２に円形凹部１２Ａの外周に沿って立設した外周壁をベース１２に形成しても良い。又、ここで、コインとは、硬貨、メダル等の円形板状体をいう。
【００１７】
前記サブディスク１４には、前記開口１６Ａと同数のひれ１５を備え、各ひれ間に形成されたガイド溝１５Ａに落下したコイン２４を、図１において時計方向に回転するとき、半径方向外側に送り出すようにされている。
【００１８】
前記図１及び裏面側から見た斜視図である図２に示されるように、前記コイン投出制御機構２２は、前記ベース１２におけるコイン送出し開口２０の裏側に検出ベース回転軸２８によってベース１２の裏面と平行に揺動自在に支持された検出ベース３０と、この検出ベース３０に対して、その裏側に、検出レバー軸３２によって揺動自在に取り付けられた検出レバー３４と、前記検出ベース３０の上面に取り付けられ、前記コイン送出し開口２０における、回転ディスク１６回転方向下流側端部位置に形成されたガイドローラ孔２０Ａから上方に突出するガイドローラ３６と、前記検出レバー３４の上側に取り付けられ、前記ベース１２における前記コイン送出し開口２０の回転ディスク回転方向下流側端部近傍に形成された検出ローラ孔２０Ｂから突出する検出ローラ３８と、を備えて構成されている。
【００１９】
ここで、前記検出ベース３０には、前記検出ベース回転軸２８を中心とした円弧状の回転ガイド溝４０Ａが形成され、且つ、この回転ガイド溝４０Ａを挿通して検出ベース回転ガイド軸４０Ｂがベース１２の裏面に設けられ、これによって、検出ベース３０の、検出ベース回転軸２８を中心とする揺動範囲が、回転ガイド溝４０Ａの長さ範囲に限定されるようにしている。
【００２０】
又、前記検出ベース回転ガイド軸４０Ｂと、前記検出ベース３０のばね掛側部４２Ａとの間には、検出ベースばね４２が装架され、これにより、検出ベース３０は、前記検出ベース回転軸２８を中心として、図１において時計方向（図２において反時計方向）に付勢されている。
【００２１】
又、前記検出レバー３４におけるばね掛部４４Ａと、前記検出ベース回転軸２８との間には検出レバーばね４４が装架され、この検出レバーばね４４の引張力によって、検出レバー３４は、検出レバー軸３２を中心として図１において反時計方向に付勢されている。
【００２２】
図２に明確に示されるように、前記検出ベース３０の自由端側に、センサベース３１が直角下向に折れ曲がって形成されている。
【００２３】
このセンサベース３１には、前記検出ベース３０が揺動されない状態であって、且つ検出レバー３４が検出レバーばね４４の付勢力に抗してコイン直径分、図２において反時計方向に揺動したとき、検出レバー３４の先端の遮蔽部３４Ａによって横切られたときに投出コイン数の１個分をカウントアップするコイン投出センサ４６が設けられている。
【００２４】
又、図３に示されるように、前記検出ローラ３８が、検出レバーばね４４に抗して回転ディスク１６の中心方向にコイン直径分揺動したとき、この検出ローラ３８とガイドローラ３６との隙間を通ってコイン２４がコイン送出し開口２０から投出できるようにされ、且つ、このときの検出ローラ３８の、回転ディスク１６半径方向の位置が、サブディスク１４のひれの先端部の回転半径内に位置するようにされている。
【００２５】
前記サブディスク１４におけるひれ１５の先端の、コイン２４に当接する箇所には、サブディスク１４の、図３において時計方向への回転時にコイン２４を外方に押し出す傾斜ガイド面１５Ｂが形成されている。
【００２６】
図２、３の符号３５は、前記検出レバー３４の、図２において時計方向（図３において反時計方向）の揺動を規制するストッパを示す。
【００２７】
次に、上記実施の形態の例に係るコイン投出装置１０の作用について説明する。
【００２８】
コインホッパ１８に投入され、且つ回転ディスク１６の回転によって開口１６Ａから、円形凹部１２Ａの底面１３と平行状態で、該底面１３上に到達したコイン２４は、回転ディスク１６の回転に伴ない、各開口１６Ａに対応するひれ１５のガイド溝１５Ａに沿って、半径方向外側に押し出されていく。
【００２９】
このコイン２４が、図４（Ａ）に示されるように、前記ガイドローラ３６に当接し、且つ、これと検出ローラ３８との間に割込むようにして、検出ローラ３８を、検出レバーばね４４（図１参照）に抗して図において時計方向（回転ディスク１６の中心方向）に揺動させ、コイン２４の中心２４Ａがガイドローラ３６と検出ローラ３８との中心を通る直線を超えたとき（図４（Ｂ）参照）、検出レバーばね４４の付勢力によって、コイン２４は勢い良く押し出され（図４（Ｃ）参照）、コイン送出し開口２０から投出される。
【００３０】
前記図４（Ｂ）の状態のとき、検出レバー３４の遮蔽部３４Ａが、センサベース３１に取り付けられているコイン投出センサ４６を遮ることによって、コイン２４の投出数が１回カウントアップされる。
【００３１】
コイン２４の投出後に、検出レバーばね４４の不調等の理由によって、前記検出ローラ３８が原位置に復帰しない場合は、コイン２４を押し出した後のひれ１５の傾斜ガイド面１５Ｂが、ひれ１５の回転半径内にある検出ローラ３８を押して、これを原位置に復帰させる。
【００３２】
従って、検出ローラ３８とガイドローラ３６との間が開いたままでコイン２４が誤って投出されてしまうようなことがない。
【００３３】
又、図５（Ａ）に示されるように、サブディスク１４に押されたコイン２４が、検出ローラ３８とガイドローラ３６との間に入り込まないで、検出ローラ３８とコイン２４との接点、サブディスク１４のひれ１５とコイン２４との接点、及び、コイン２４の中心２４Ａが一直線上に配列されたとき、この直線よりも図において左側（外側）に検出レバー軸３２が位置しているために、検出レバー３４を時計方向に回転する力が作用しない。
【００３４】
従って、検出レバー３４が検出レバーばね４４に抗して揺動されることがなく、コイン投出センサ４６がコイン投出をカウントアップすることがない。
【００３５】
このとき、検出レバー３４には、これを反時計方向に回転させる力が作用しているが、検出レバー３４は検出ベース３０に設けられているストッパ３５に当接して、これ以上の反時計方向の揺動が不能な状態となっている。
【００３６】
この状態で更に回転ディスク１６が回転すると、図５（Ｂ）のように、検出ベース回転軸２８を中心として、検出ベース３０が、検出ベースばね４２に抗して反時計方向に揺動され、検出ローラ３８は回転ディスク１６の中心から離間する方向に変位され、これによりひれ１５が検出ローラ３８と干渉することなくコイン２４を内方に押しつつ移動していく。
【００３７】
このとき、検出ベース３０に支持されている前記ガイドローラ３６は、ガイドローラ孔２０Ａ内を検出ローラ３８に接近する方向に揺動し（図５（Ｂ）参照）、これによって検出ローラ３８とガイドローラ３６と検出レバーを検出ベースに設けた構成とし、検出ローラとガイドローラの視点の距離がメダルロック時も同一になっているので、メダルがこの二つのローラの間を通過すれば絶対にカウントする機構になっている。
【００３８】
一方、前記検出ベース３０は、前述のように、検出ベース回転軸２８を中心として検出ベースばね４２によって時計方向に付勢されているため、図５（Ｃ）に示されるように、ひれ１５の回転に従って、圧力により、コイン２４の接点の位置が変化していき、コイン２４は、ひれ１５のガイド溝１５Ａ内で回転ディスク１６の中心方向に移動し、即ちガイド溝１５Ａ内に戻され、ひれ１５が更に時計方向に１回転したとき、次回に投出される。
【００３９】
従って、コイン２４がガイドローラ３６と検出ローラ３８の間から正常に投出されない場合でも、誤ってコイン投出センサ４６がカウントアップしたり、コイン２４が詰まってロックを発生することがない。
【００４０】
【発明の効果】
本発明は上記のように構成したので、１個の検出ローラによって投出コイン数の計数ミスをすることなく、確実に投出することができると共に、コインを投出できなかった場合でも、コインのロックが発生することないという優れた効果を有する。
【図面の簡単な説明】
【図１】本発明の実施の形態の例に係るコイン投出装置を示す分解斜視図
【図２】同コイン投出装置におけるコイン投出制御機構を裏面から見た斜視図
【図３】同コイン投出制御機構を示す平面図
【図４】同コイン投出装置によってコインを投出する過程を示す平面図
【図５】同コイン投出装置において、コインが正常に投出できない場合の動作を示す平面図
【符号の説明】
１０…コイン投出装置
１２…ベース
１２Ａ…円形凹部
１３…底面
１４…サブディスク
１５…ひれ
１５Ａ…ガイド溝
１５Ｂ…傾斜ガイド面
１６…回転ディスク
１６Ａ…開口
１８…コインホッパ
２０…コイン送出し開口
２２…コイン投出制御機構
２４…コイン
２４Ａ…中心
２６…モータ
２６Ａ…モータ軸
２８…検出ベース回転軸
３０…検出ベース
３１…センサベース
３２…検出レバー軸
３４Ａ…遮蔽部
３６…ガイドローラ
３８…検出ローラ
４０Ａ…回転ガイド溝
４０Ｂ…検出ベース回転ガイド軸
４２…検出ベースばね
４４…検出レバーばね
４６…コイン投出センサ
【図１】
0004267756.tif 000002
【図２】
0004267756.tif 000003
【図３】
0004267756.tif 000004
【図４】
0004267756.tif 000005
【図５】
0004267756.tif 000006